(57)【要約】【課題】  開扉時の正確な角度位置を確保するとともに、複数の扉から構成された各扉を直線状に維持できるようにした折畳み構造を提供することを目的とする。【解決手段】  曲折軸４を境に互いに曲折自在な少なくとも２つの複数の扉１、２から構成されてそれらの中の第１の扉１が固定軸３の周りに揺動自在に構成された折畳み構造において、前記第１の扉１の閉扉格納状態から開扉使用状態への扉１の開扉に連動して前記複数の扉１、２を直線状に連結する連動部材５、６、７を設けたことにより、少なくとも２つの扉１、２が開扉状態にて連動部材５、６、７により確実に連結されるので、これらの複数の扉部材を所定の開扉角度位置に保持することができて、組立体としての構造精度の確保と強度保持が可能となる。【選択図】  図１
2006193222.tif 000002
【特許請求の範囲】
【請求項１】
曲折軸を境に互いに曲折自在な少なくとも２つの複数の扉から構成されてそれらの中の第１の扉が固定軸の周りに揺動自在に構成された折畳み構造において、前記第１の扉の閉扉格納状態から開扉使用状態への扉の開扉に連動して前記複数の扉を直線状に連結する連動部材を設けたことを特徴とする折畳み構造。
【請求項２】
前記連動部材が、第１の扉の開扉により退避するストッパから開放されたロッド押込駒によって長さ方向に移動する連結ロッドとの連結により第２の扉が結合されるように構成されたことを特徴とする請求項１に記載の折畳み構造。
【請求項３】
前記連結ロッドが各扉の内部に収容されたことを特徴とする請求項１または２に記載の折畳み構造。
【請求項４】
前記ロッド押込駒の復帰ばねに抗して連結解除レバーを揺動させることで、前記ストッパにより連動部材を復帰位置に保持するとともに、各扉を曲折自在に戻すように構成したことを特徴とする請求項１から３のいずれかに記載の折畳み構造。
【請求項５】
前記連動部材をごみ箱収納ボックスの側面扉に適用したことを特徴とする請求項１から４のいずれかに記載の折畳み構造。
【発明の詳細な説明】
【技術分野】
【０００１】
本発明は、曲折軸を境に互いに曲折自在な少なくとも２つの複数の扉から構成されてそれらの中の第１の扉が固定軸の周りに揺動自在に構成された折畳み構造に関する。本発明の折畳み構造は、曲折軸を境に互いに曲折自在な複数の扉を有するなら、通常のドア装置の他、ごみ収納ボックスの側面扉、台車の側面扉、ガレージの扉等の折畳み構造に適用可能である。
【背景技術】
【０００２】
近年、地球環境の劣化や資源の枯渇等の問題を解決するために、ごみ資源のリサイクル化が促進されている。ごみ資源のリサイクルにはごみの分別が欠かせないものであり、各家庭は言うに及ばず、各種の事業所、高速道路のサービスエリア、病院、鉄道の駅舎等人々が多く集まり、多量のごみが放出される施設では、ごみの分別・細分化には多くの苦労や努力がなされている。そして、これらの分別された多くのごみは集積所に集積されるが、犬、猫さらにはカラスによる被害にあうことがないように、ごみ収容体が設置される。そのようなごみ収容体として、例えば下記特許文献１に開示されたようなものが提案されている。
【特許文献１】特開平１１−７９３０１号公報
【発明の開示】
【発明が解決しようとする課題】
【０００３】
図６によって前記特許文献１に開示されたごみ収容体を簡単に説明する。路上等に立設された一対の支柱４０、４０間に掛け渡された網部材からなる背面枠４１と、各支柱４０に揺動可能に設けられた側面枠４２、４２と、前記背面枠４１と平行に配置され、前記側面枠４２の揺動端が係合するガイドレール４８と該ガイドレール４８の一部に対して開閉可能に設けられている扉部５０を有する前面枠４５とを備え、前記側面枠４２の揺動端を前記ガイドレール４８に沿って移動させることで、前記前面枠４５を前進および後進可能に設け、後進時に、前記側面枠４２を折り畳むことにより前記前面枠４５を重畳可能に構成したものである。このようなごみ収容体によって、集積されたごみを犬、猫さらにはカラスによる被害から保護することが可能になった。
【０００４】
しかしながら、このような従来のごみ収容体にあって、収容体を構成する各枠体、特に側面枠４２を支柱４０の周りで揺動させ、その揺動端をガイドレール４８に沿って移動させつつ、折り畳み状態から開扉して行く際に、側面枠４２に対して格別の制御手段や規制手段が施されていないために、背面枠４１に対する側面枠４２の直交状態の確保が不充分となり、ごみ収容体の平面視形状を正確な方形にすることが困難であった。正確な方形が確保されないと、収容体に蓋部材が組み合わされる場合等には、蓋部材が側面枠に対して整合しない虞れがあった。
【０００５】
そこで、本発明は、前記従来のごみ収容体等に使用される折畳み構造の課題を解決して、開扉時の正確な角度位置を確保するとともに、複数の扉から構成された各扉を直線状に維持できるようにした折畳み構造を提供することを目的とする。
【課題を解決するための手段】
【０００６】
そのため本発明は、曲折軸を境に互いに曲折自在な少なくとも２つの複数の扉から構成されてそれらの中の第１の扉が固定軸の周りに揺動自在に構成された折畳み構造において、前記第１の扉の閉扉格納状態から開扉使用状態への扉の開扉に連動して前記複数の扉を直線状に連結する連動部材を設けたことを特徴とする。また本発明は、前記連動部材が、第１の扉の開扉により退避するストッパから開放されたロッド押込駒によって長さ方向に移動する連結ロッドとの連結により第２の扉が結合されるように構成されたことを特徴とする。また本発明は、前記連結ロッドが各扉の内部に収容されたことを特徴とする。また本発明は、前記ロッド押込駒の復帰ばねに抗して連結解除レバーを揺動させることで、前記ストッパにより連動部材を復帰位置に保持するとともに、各扉を曲折自在に戻すように構成したことを特徴とする。また本発明は、前記連動部材をごみ箱収納ボックスの側面扉に適用したことを特徴とするもので、これらを課題解決のための手段とするものである。
【発明の効果】
【０００７】
本発明によれば、曲折軸を境に互いに曲折自在な少なくとも２つの複数の扉から構成されてそれらの中の第１の扉が固定軸の周りに揺動自在に構成された折畳み構造において、前記第１の扉の閉扉格納状態から開扉使用状態への扉の開扉に連動して前記複数の扉を直線状に連結する連動部材を設けたことにより、少なくとも２つの扉が開扉状態にて連動部材により確実に連結されるので、これらの複数の扉部材を所定の開扉角度位置に保持することができて、組立体としての構造精度の確保と強度保持が可能となる。
【０００８】
また、前記連動部材が、第１の扉の開扉により退避するストッパから開放されたロッド押込駒によって長さ方向に移動する連結ロッドとの連結により第２の扉が結合されるように構成された場合は、比較的簡素な部品の組合せにより連動部材を構成できて、複数の扉部材の連結と開扉位置の確保が可能となる。さらに、前記連結ロッドが各扉の内部に収容された場合は、扉の開閉のための連動部材が塵埃から保護されるとともに、損傷に遇う虞れも減少し、見栄えも向上する。
【０００９】
さらにまた、前記ロッド押込駒の復帰ばねに抗して連結解除レバーを揺動させることで、前記ストッパにより連動部材を復帰位置に保持するとともに、各扉を曲折自在に戻すように構成した場合は、連結解除レバーを揺動させるだけで、各扉の開扉位置からの開放と連結を容易に解くことができる。また、前記連動部材をごみ箱収納ボックスの側面扉に適用した場合は、誰でもが側面扉を開扉するだけで、容易に側面扉を所定の開扉位置に保持するとともに、複数の扉を連結して組立体としての構造精度の確保と強度保持が可能となる。
【発明を実施するための最良の形態】
【００１０】
以下、本発明の実施例を図面に基づいて詳細に説明する。図１は本発明の折畳み構造の基本的な原理を示す斜視図、図２は図１における連結ロッドを含む面での開扉完了寸前の状態を示す平断面図、図３は同、開扉状態の平断面図、図４は同、連結ロッドの復元機構を示す一部拡大断面図、図５は第２実施例として本発明の折畳み構造が適用されたごみ箱収納ボックスの例を示す斜視図である。本発明の基本的構成は、図１に示すように、曲折軸４を境に互いに曲折自在な少なくとも２つの複数の扉１、２から構成されてそれらの中の第１の扉１が固定軸３の周りに揺動自在に構成された折畳み構造において、前記第１の扉１の閉扉格納状態から開扉使用状態への扉１の開扉に連動して前記複数の扉１、２を直線状に連結する連動部材５、６、７、８、９を設けたことを特徴とする。
【実施例１】
【００１１】
以下、図面に基づいて本発明の折畳み構造の第１実施例を詳述する。図１は本発明の折畳み構造の基本的な原理を示す斜視図である。第１の扉１が枢軸３の周囲に揺動自在に設置され、該第１の扉１の揺動端に配設された曲折軸４を介して第２の扉２が、該曲折軸４の周囲に曲折（揺動）自在に連結されている。これらの枢軸３および曲折軸４は鉛直軸として構成され、これらの両軸に対して直交する方向の各扉１、２にそれぞれ、ロッド挿入孔１Ａ、２Ａが貫通して形成され、これらのロッド挿入孔１Ａ、２Ａには、それぞれ第１連結ロッド５および第２連結ロッド６が挿入されている。
【００１２】
一方、前記第１の扉１における連結ロッド５の基端部側である枢軸３側に臨んで、ロッド押込駒７が連結ロッド５の長さ方向に進退自在に配設される。ロッド押込駒７の前面の側方には、該ロッド押込駒７の後退位置を保持すべく復帰ばねにより付勢されたストッパ９が配設される。前記ロッド押込駒７は後方から復帰ばね１０により常時前進側へ付勢されている。ロッド押込駒７の後部はリンク軸１３により揺動自在な揺動リンク１２、レバーロッド１４を介して連結解除レバー１５に連結され、該連結解除レバー１５の下方への操作により揺動リンク１２を揺動させて、押込駒復帰ばね１０の復元力に抗して前記押込駒７を後退させることができるように構成されている。
【００１３】
以上のように構成された本発明の折畳み構造の動作を説明する。図２は図１における連結ロッド５、６を含む面での開扉完了寸前の状態を示す平断面図である。ロッド押込駒７は、その前面がストッパ９により前進側への移動が規制されて後退位置に保持されている。少なくとも２つの扉から構成された第１および第２の扉１、２が曲折軸４を介して曲折自在に連結されており、通常は第２の扉の揺動端に設置された握り２９を把持して矢印Ｂのように牽引すると、第１の扉１も枢軸３の周りに矢印Ｃのように揺動し、第１の扉１の基端部側の側面に突設された突起１７が、前記ストッパ９を復帰ばね１１の復元力に抗して後退・退避させていき、ついには前記ロッド押込駒７の前面の規制位置から外れる。
【００１４】
図３に示すように、第１の扉１が完全な開扉状態に達すると、ほぼ同時に第２の扉２も直線状に整列することになる。通常は握り２９の部分を矢印Ｂのように牽引すると、慣性で第２の扉２も第１の扉１とほぼ直線状に整列されるが、完全な直線状に配列されない場合でも、前記ストッパ９の規制から開放されたロッド押込駒７が復帰ばね１０の復元力により前進して、その押込部８がロッド挿入孔１Ａ内に挿入されている第１連結ロッド５を押し込んで長さ方向に移動させることで、該第１連結ロッド５が第２の扉２のロッド挿入孔２Ａ内に侵入することで、第２の扉２を強制的に直線状に配列させることができる。ここで、ロッド押込駒７の復帰ばね１０の復元力の方が、後述する連結ロッド５および６の復帰ばね２０の復元力より大きいことは言うまでもない。同時に、前記第１連結ロッド５は第２の扉２内の第２連結ロッド６を長さ方向に押し出す。もし、さらに第３の扉が曲折軸により配設されている場合には、この第３の扉をも前記第２連結ロッド６により直線状に連結することが可能となる。なお、ロッド押込駒７の両側にはガイド３３、３３が配設されており、ロッド押込駒７の円滑なスライドを可能にする。
【００１５】
かくして、これらの複数の扉部材１、２を所定の開扉角度位置に保持することができて、組立体としての構造精度の確保と、曲折自在に連結された複数の扉部材が妄りに折り畳まれることが防止できて強度保持が可能となる。しかも、ストッパ９やロッド押込駒７および連結ロッド５、６等の比較的簡素な部品の組合せにより連動部材を構成できて、複数の扉部材の連結と開扉位置の確保が可能となるばかりか、前記連結ロッド５、６が各扉１、２の内部に収容されて、扉の開閉のための連動部材が塵埃から保護されるとともに、損傷に遇う虞れも減少し、見栄えも向上する。
【００１６】
図４は図２のＡ部拡大図であり、連結ロッドの復元機構を示す。各扉について同様の構成であるので、第１の扉１についてのみ説明すると、連結ロッド５の周面に刻設された凹溝１９内にロッド復帰ばね２０が収納され、第１の扉１の側壁外から螺合された規制ビス１８との間で圧縮・拡張を行い、連結ロッド５の原位置への復帰を行う。
【００１７】
扉１および扉２を閉扉する場合には、図１に示した連結解除レバー１５を下方へ操作すると、レバーロッド１４、揺動リンク１２を介してロッド押込駒７を復帰ばね１０の復元力に抗して後退させ、その前面にストッパ９が当接してロッド押込駒７が後退位置に保持される。これにより、各扉１、２内の連結ロッド５、６も原位置に復帰し、互いの扉の連結が解かれて、揺動かつ曲折が可能となり、扉を折り畳むことができる。連結解除レバー１５の押下げによる揺動リンク１２の揺動解除に代えて、連結ロッド５や６を直接復元スライドさせる等の構成（連結ロッド５と一体のピンを長孔を通じて扉外に露呈させておく等）を採用することもできる。
【実施例２】
【００１８】
図５は第２実施例として本発明の折畳み構造が適用されたごみ箱収納ボックスの例を示す斜視図である。本実施例は、ごみ箱収納ボックス２１の折畳み自在な拡張部３５の側面扉に適用された例である。折畳み自在な拡張部３５は側面扉を構成する左右の複数の扉１、２が曲折軸４により曲折自在に連結されており、扉１が枢軸３の周囲に揺動自在に設置されている。左右の扉２の揺動端には前面扉２４、２５が揺動軸２６、２７により揺動自在に設置されている。これら前面扉２４、２５の合せ部には係止具２８が設置され、ごみの集積の際にごみを収納ボックス内に投入する際に係脱される。
【００１９】
前面扉２４、２５の下部には拡張部３５の扉の開閉の際の前面扉２４、２５の移動を容易にするキャスタ３１、３２が設置され、拡張部３５を折り畳んだ際のこれらの扉部材の収納は、台座３０上の箱状体内になされる。該箱状体内の上部にはヒンジ２３により天板２２が揺動自在に設置され、開扉された拡張部３５の上面を閉塞すると同時に、折り畳まれて収納された拡張部３５の蓋部材として機能する。このようなごみ箱収納ボックス２１の側面扉１、２の連動部材として、前述のストッパ９やロッド押込駒７等が収容された収納ボックス１６、およびレバーロッド１４、連結解除レバー１５を台座３０上の箱状体側面に設置するとともに、扉１、２内にも連結ロッド５、６（図示省略）を挿入したものである。連結解除レバー１５は、ごみ箱収納ボックス２１の左右に設置され、連動支軸３４によって連動する。したがって、一方の連結解除レバー１５を押下するだけで、左右の側面扉１、２を折り畳むことが可能である。
【００２０】
このように構成したことにより、扉１、２の開扉時には、誰でもが単に第２の扉２の揺動端に設置された握り２９を把持・牽引することで、容易かつ確実に複数の扉を所定の開扉角度位置に保持することができて、組立体としての構造精度の確保と、曲折自在に連結された複数の扉部材が妄りに折り畳まれることが防止でき、天板２２との整合性が確保できる上に、天板２２が閉じられても強度維持が可能となる。そして、ごみの収集が終了した後には、連結解除レバー１５を押下するだけで容易に左右両側の扉１、２を折り畳んで、各扉部材を格納することができて、通行の妨げになることがない。
【００２１】
以上、本発明の実施例について説明してきたが、本発明の趣旨の範囲内にて、曲折軸の形状、形式および曲折軸を境とした扉の数、扉の形状、形式（ガレージの扉、台車の側面扉、通常のドア等）、固定軸である枢軸の形状、枢軸の位置、連動部材を構成するストッパおよびロッド押込駒ならびに連結ロッドの形状（断面形状等、図示の実施例の四角形断面の他、板状体、円形断面等でもよい）、形式およびそれらの配設部位（連結ロッドに関しては、扉内部への挿入の他、扉の外部に添設してもよい）、ストッパおよびロッド押込駒ならびに連結ロッドの復帰ばねの形状、形式（コイルばねの他、板ばね、たけのこばね等が採用され得る）、揺動リンクの形状、形式、レバーロッドの形状、形式、連結解除レバーの形状、形式、およびそれらの関連構成、ストッパによる連動部材の一つであるであるロッド押込駒の復帰位置の保持形態、ごみ箱収納ボックスの形状、形式等については適宜選定できる。
【図面の簡単な説明】
【００２２】
【図１】本発明の折畳み構造の基本的な原理を示す斜視図である。
【図２】同、図１における連結ロッドを含む面での開扉完了寸前の状態を示す平断面図である。
【図３】同、開扉状態の平断面図である。
【図４】同、連結ロッドの復元機構を示す一部拡大断面図である。
【図５】第２実施例として本発明の折畳み構造が適用されたごみ箱収納ボックスの例を示す斜視図である。
【図６】従来のごみ収容体の斜視図である。
【符号の説明】
【００２３】
１        第１の扉
１Ａ        ロッド挿入孔
２        第２の扉
２Ａ        ロッド挿入孔
３        枢軸
４        曲折軸
５        第１連結ロッド（連動部材）
６        第２連結ロッド（連動部材）
７        ロッド押込駒（連動部材）
８        押込部（連動部材）
９        ストッパ（連動部材）
１０        押込駒復帰ばね
１１        ストッパ復帰ばね
１２        揺動リンク
１４        レバーロッド
１５        連結解除レバー
１７        突起
【図１】
2006193222.tif 000003
【図２】
2006193222.tif 000004
【図３】
2006193222.tif 000005
【図４】
2006193222.tif 000006
【図５】
2006193222.tif 000007
【図６】
2006193222.tif 000008